(57)【要約】【課題】ヒューズを安定して固定させる。【解決手段】ヒューズ１０と、このヒューズ１０が組付けられるハウジング５９とを備え、ヒューズ１０は、頭部１３と、治具係合部１４ａとを有し、頭部１３と、治具係合部１４ａとに対応した溝８０が、ハウジング５９内に設けられた。ヒューズ１０の頭部１３の幅に対応して、溝８０に幅広部が設けられ、頭部１３よりも幅狭なヒューズ１０の治具係合部１４ａの幅に対応して、溝８０に幅狭部が設けられた。前記ヒューズ１０に代えて、前記ヒューズ１０と異なる他のヒューズ２０がハウジング５９に備えられ、ハウジング５９に対して、他のヒューズ２０が正規の状態で組付け可能とされる位置合せ部が、溝８０に設けられた。このようなヒューズキャビティ構造は、電気接続箱１に用いられた。【選択図】      図１
2004311289.tif 000002
【特許請求の範囲】
【請求項１】
ヒューズと、該ヒューズが組付けられるハウジングとを備え、該ヒューズは、頭部と、治具係合部とを有し、該頭部と、該治具係合部とに対応した溝が、該ハウジング内に設けられたことを特徴とするヒューズキャビティ構造。
【請求項２】
前記ヒューズの前記頭部の幅に対応して、前記溝に幅広部が設けられ、該頭部よりも幅狭な該ヒューズの前記治具係合部の幅に対応して、該溝に幅狭部が設けられたことを特徴とする請求項１記載のヒューズキャビティ構造。
【請求項３】
前記ヒューズに代えて、該ヒューズと異なる他のヒューズが前記ハウジングに備えられ、該ハウジングに対して、該他のヒューズが正規の状態で組付け可能とされる位置合せ部が、前記溝に設けられたことを特徴とする請求項１又は２記載のヒューズキャビティ構造。
【請求項４】
前記位置合せ部は、テーパ面として形成され、該テーパ面に対応して、前記他のヒューズの側部に傾斜面が設けられたことを特徴とする請求項３記載のヒューズキャビティ構造。
【請求項５】
請求項１〜４の何れか１項に記載のヒューズキャビティ構造が用いられたことを特徴とする電気接続箱。
【発明の詳細な説明】
【０００１】
【発明の属する技術分野】
本発明は、例えば各種ヒューズが装着可能とされ、小型化されると共にヒューズが安定して固定可能なヒューズキャビティ構造およびそのようなヒューズキャビティ構造を備える電気接続箱に関するものである。
【０００２】
【従来の技術】
図４は、従来のヒューズハウジングの一形態を示すものである（特許文献１参照）。
ヒューズハウジング１２０に、背の低いヒューズ（図示せず）が取付けられる。このヒューズハウジング１２０は、左右側壁１２２，１２３と、前後保護壁１２４，１２５とを備えるものとして形成されている。一対の左右側壁１２２，１２３は、前記ヒューズを構成する絶縁樹脂製のヒューズ・ケースの左右幅狭部を、外側より抱持するものとされている。また、前後保護壁１２４，１２５は、左右側壁１２２，１２３の間に位置し、前記ヒューズ・ケースの前後広幅面を覆い、幅広で背が低いものとされている。
【０００３】
左右側壁１２２，１２３と、前後保護壁１２４，１２５とにより囲まれるキャビテイ１００Ｓ内の底部側より、バスバー１０５Ａ，１０５Ｂの先端のタブ１０６Ａ，１０６Ｂが突出されている。バスバー１０５Ａ，１０５Ｂの先端のタブ１０６Ａ，１０６Ｂは、ヒューズの入力端子と、出力端子とに、それぞれ接続される。これらの一対のタブ１０６Ａ，１０６Ｂが対向する内面側に、前後保護壁１２４，１２５の左右両端より突設されたタブ押さえリブ１３０〜１３３が当接される。
【０００４】
また、他の従来の技術として、例えばヒューズ装着部での支持バランスが高められると共にヒューズ装着部の小型化が可能とされ、また、挿入作業性の向上が可能とされ、しかも、外力による可溶部の変形や破損が防止可能なヒューズというものもある（特許文献２参照）。
【０００５】
また、ヒューズ装着部での支持バランスが高められると共にヒューズ装着部の小型化が可能とされ、また、挿入作業性の向上が可能とされるヒューズボックスというものもある（特許文献３参照）。
【０００６】
また、形状が異なるヒューズを任意に装着可能な互換性を有すると共に、ヒューズの挿入作業性を向上させることが可能なヒューズ装着部の構造というものもある（特許文献４参照）。
【０００７】
また、自動車などの車輌に装着されるヒューズボックスの改良に関するものとして、ヒューズボックスのヒューズキャビティにおいて、ブレード型ヒューズの背挿入が確実に検知可能とされるヒューズボックスというものもある（特許文献５参照）。
【０００８】
【特許文献１】
特開２００２−３１３２１２号公報（第２頁、図１）
【特許文献２】
特開２００１−３２５８７４号公報（第２頁、図１）
【特許文献３】
特開２００１−３５１５０２号公報（第１頁、図４）
【特許文献４】
特開２００２−１２４１７５号公報（第３頁、図１）
【特許文献５】
実開平４−５２３５１号公報（第２，３頁、図１）
【０００９】
【発明が解決しようとする課題】
しかしながら、図４に示される上記従来のヒューズハウジングにあっては、ヒューズハウジング１２０に、不図示の背の低いヒューズが安定して固定されるものとされておらず、これを改善することが望まれていた。
【００１０】
本発明は、上記した点に鑑み、ヒューズが安定して固定されるヒューズキャビティ構造およびそのようなヒューズキャビティ構造を備える電気接続箱を提供することを目的とする。
【００１１】
【課題を解決するための手段】
上記目的を達成するために、本発明の請求項１に係るヒューズキャビティ構造は、ヒューズと、該ヒューズが組付けられるハウジングとを備え、該ヒューズは、頭部と、治具係合部とを有し、該頭部と、該治具係合部とに対応した溝が、該ハウジング内に設けられたことを特徴とする。
上記構成により、ヒューズの頭部と、治具係合部とに対応した溝が、ハウジング内に設けられているから、ヒューズは、安定してハウジングに組付けられることとなる。また、背の低いヒューズが用いられた場合、ヒューズの頭部が、ハウジングの溝に収容され、ハウジング内にヒューズの頭部が収容されることとなる。従って、小型化が図られたヒューズキャビティ構造のものが提供されることとなる。
【００１２】
請求項２に係るヒューズキャビティ構造は、請求項１記載のヒューズキャビティ構造において、前記ヒューズの前記頭部の幅に対応して、前記溝に幅広部が設けられ、該頭部よりも幅狭な該ヒューズの前記治具係合部の幅に対応して、該溝に幅狭部が設けられたことを特徴とする。
上記構成により、ヒューズは、ハウジング内に設けられた溝に確実に装着されることとなる。また、ヒューズの頭部の幅よりも、治具係合部の幅の方が狭いものとされているから、例えば溝に装着されたヒューズが、ヒューズプラーなどの治具によって、ハウジングから引き抜かれるときに、ヒューズプラーなどの治具の先端部は、ヒューズを構成する頭部、治具係合部に掛かり易いものとなる。従って、ハウジングに装着されたヒューズは、ハウジングから容易に抜取可能なものとなる。
【００１３】
請求項３に係るヒューズキャビティ構造は、請求項１又は２記載のヒューズキャビティ構造において、前記ヒューズに代えて、該ヒューズと異なる他のヒューズが前記ハウジングに備えられ、該ハウジングに対して、該他のヒューズが正規の状態で組付け可能とされる位置合せ部が、前記溝に設けられたことを特徴とする。
上記構成により、ヒューズと、他のヒューズとの少なくとも二種類以上のヒューズが前記ハウジングに装着可能となる。例えば、昨今、各種のヒューズをハウジングに装着可能とさせることや、部品共用化による管理費の低減化や、それに伴う価格の低減化などが要望されてきているが、異なる複数のヒューズがハウジングに装着可能なものとされていれば、部品の共用化や、これに伴った価格の低減化が図られることとなる。
【００１４】
請求項４に係るヒューズキャビティ構造は、請求項３記載のヒューズキャビティ構造において、前記位置合せ部は、テーパ面として形成され、該テーパ面に対応して、前記他のヒューズの側部に傾斜面が設けられたことを特徴とする。
上記構成により、ハウジングに他のヒューズが組付けられるときに、ハウジングの溝のテーパ面に、他のヒューズの側部に設けられた傾斜面が合せられるから、他のヒューズは、確実にハウジングに固定されることとなる。また、他のヒューズと異なるヒューズは、ハウジングの溝のテーパ面に影響されることなく、確実にハウジングの溝に固定可能なものとされる。
【００１５】
請求項５記載の電気接続箱は、請求項１〜４の何れか１項に記載のヒューズキャビティ構造が用いられたことを特徴とする。
上記構成により、ヒューズが安定して組付けられる電気接続箱の提供が可能となる。また、請求項３又は４記載のヒューズキャビティ構造が電気接続箱に適用されることにより、異なる二種類以上のヒューズが組付け可能とされる電気接続箱の提供が可能となる。
【００１６】
【発明の実施の形態】
以下に本発明に係るヒューズキャビティ構造および電気接続箱の一実施の形態を図面に基づいて詳細に説明する。
図１は、本発明に係るヒューズキャビティ構造および電気接続箱の一実施の形態を示す分解斜視図、図２は、同じくヒューズキャビティ構造および電気接続箱を示す縦断面図、図３は、同じくヒューズキャビティ構造および電気接続箱を示す説明図である。
【００１７】
各図の要部が分かり易いものとされるために、各断面部は、一部が簡略化されて見易くされた概略図として示されている。また、第１ヒューズ１０と、第２ヒューズ２０とに関するものにおいて、重複する部分については、便宜上、一まとめに説明した。
【００１８】
ブロック本体５０のハウジング５９のヒューズ装着部７０は、第１ヒューズ１０と、第２ヒューズ２０との二種類のヒューズ１０，２０が組付け可能なものとされている。第１ヒューズ１０と、第２ヒューズ２０とは、異なる形態のものとされている。また、ブロック本体５０に取付けられるヒューズとして、例えば５〜３０アンペアに対応可能な各種のブレード型ヒューズが挙げられる。
【００１９】
第１ヒューズ１０は、絶縁ハウジング１１と、この絶縁ハウジング１１内から一対の幅狭な突出部１４の側縁部１４ｂに沿って突出部１４から突設された一対の平板状端子１５と、絶縁ハウジング１１内で、一方の平板状端子１５と、他方の平板状端子１５とを通電可能に繋ぐ略Ｕ字状の可溶部１７とを少なくとも備えるものとして構成されている。略Ｕ字状の可溶部１７は、絶縁ハウジング１１の収容部１１ａ内に位置するものとされている。また、頭部１３および絶縁ハウジング１１から、頭部１３および絶縁ハウジング１１よりも幅狭な突出部１４が延設されている。
【００２０】
また、ヒューズ装着部７０に組付けられた第１ヒューズ１０が、ヒューズ装着部７０から容易に引抜き可能なものとされるために、第１ヒューズ１０の絶縁ハウジング１１に、ヒューズプラーなどの治具（図示せず）の先端部に対応した段差状の治具係合部１４ａが設けられている。治具係合部１４ａは、頭部１３と、突出部１４とを少なくとも備えるものとして形成されている。また、第１ヒューズ１０は、背の低いヒューズとされていることから、例えば低背ヒューズ、小型ヒューズ１０などと呼ばれる。
【００２１】
第２ヒューズ２０と比べて、第１ヒューズ１０は、低背型の小型ヒューズ１０とされていることから、図３の如く、一度、ブロック本体５０に挿着された第１ヒューズ１０は、ブロック本体５０から易々と手では抜けないものとされている。第１ヒューズ１０または第２ヒューズ２０は、不図示のヒューズプラーなどの治工具が用いられてブロック本体５０から引き抜かれる。
【００２２】
第２ヒューズ２０は、絶縁ハウジング２１と、この絶縁ハウジング２１内から絶縁ハウジング２１の外側に向けて突出された一対のタブ状端子２５と、絶縁ハウジング２１内で、一方のタブ状端子２５と、他方のタブ状端子２５とを通電可能に繋ぐ略Ｓ字状の可溶部２７とを少なくとも備えるものとして構成されている。略Ｓ字状の可溶部２７は、絶縁ハウジング２１の収容部２１ａ内に位置するものとされている。また、絶縁ハウジング２１の両側に板状の側部２４が設けられ、絶縁ハウジング２１と、側部２４との間に溝部２４ｂが設けられている。溝部２４ｂに沿って溝部２４ｂの端部２０ａからタブ状端子２５が延長されている。
【００２３】
また、ヒューズ装着部７０に組付けられた第２ヒューズ２０が、ヒューズ装着部７０から容易に引抜き可能なものとされるために、第２ヒューズ２０の絶縁ハウジング２１に、ヒューズプラーなどの治具（図示せず）の先端部に対応した段差状の治具係合部２４ａが設けられている。治具係合部２４ａは、頭部２３と、側部２４と、前記頭部２３と前記側部２４との間に設けられた溝部２４ｂとを少なくとも備えるものとして形成されている。第２ヒューズ２０は、第１ヒューズ１０よりも背の高いヒューズ２０とされているが、比較的小さいヒューズとされていることから、例えばミニヒューズ２０などと呼ばれている。
【００２４】
ヒューズ１０，２０を構成する絶縁ハウジング１１，２１の収容部１１ａ，２１ａ内に設けられた可溶体１７，２７の状態において、可溶体１７，２７が通電可能な接続状態とされているものか、又は、可溶体１７，２７が溶断されて通電不能な状態とされているものかといった判断が、一目で迅速に行われるために、絶縁ハウジング１１，２１は、透明または半透明の合成樹脂材料が用いられて形成されている。
【００２５】
また、各ヒューズ１０，２０が対応可能とされる電流のアンペア数などが分かり易いものとされ、例えば各ヒューズ１０，２０の取付け間違いなどの不具合発生を未然に防止させるために、絶縁ハウジング１１，２１の合成樹脂材料に着色剤が添加されて、ヒューズ１０，２０を構成する絶縁ハウジング１１，２１は、例えば、黄色、赤色などのように識別可能なものとされている。
【００２６】
第１ヒューズ１０に備えられた前記平板状端子１５と、第２ヒューズ２０に備えられたタブ状端子２５とは、ブレード状をした端子１５，２５として形成されている。また、各端子１５，２５の先端部１６，２６に、幅広な傾斜面１６ａ，２６ａと、幅狭な傾斜面１６ｂ，２６ｂとが設けられている。幅広な傾斜面１６ａ，２６ａは、各端子１５，２５が音叉状端子３０に挿着されるときに、各端子１５，２５の先端部１６，２６が、音叉状端子３０の各自由端３２を押し広げ易くさせるために設けられたものとされている。
【００２７】
各音叉状端子３０は、ヒューズ１０，２０に設けられたブレード状端子１５，２５を挟持可能な一対の可動腕部３１と、一対の可動腕部３１の先端部３２内側に設けられ、ブレード状端子１５，２５と通電可能に接続されるときに確実にブレード状端子１５，２５を挟み込む略湾曲状の挟持部３３と、一対の可動腕部３１の先端部３２間に設けられ、ブレード状端子１５，２５が挿入されると共にブレード状端子１５，２５が保持される挿入・挟持空間３５と、前記ブレード状端子１５，２５が位置する略Ｕ字状の収容空間３７と、前記一対の可動腕部３１が延設される根元部３９とを備えるものとして形成され、これらの部分は、バスバー（図示せず）を形成する電気接触部４１とされる。
【００２８】
前記バスバーとして、例えば一本のバスバー本体部（図示せず）に、複数の電気接触部４１が並設されたものや、一本のバスバー本体部（図示せず）の端部に、電気接触部４１が一箇所だけ設けられたもの等が挙げられる。
【００２９】
一対の可動腕部３１の先端部３２は、ヒューズ１０，２０に設けられたブレード状端子１５，２５を挟持するときに、開閉可能な自由端３２として機能する。また、音叉状端子３０は、各ヒューズ１０，２０のブレード状端子１５，２５を確実に挟持して、音叉状端子３０と、ブレード状端子１５，２５とを通電可能に接続するものであることから、挟持端子３０とも呼ばれている。
【００３０】
各端子１５，２５，３０は、平板状の金属素材に、打抜き加工、プレス加工が行われることで形成される。また、端子３０などに、錫メッキ処理などの表面処理が行われていれば、端子３０の耐食性が向上されるから、例えば各ヒューズ１０，２０が溶断されたときの熱により、端子３０が高温に加熱されても、端子３０の腐食は防止される。
【００３１】
各ヒューズ１０，２０や、音叉状端子３０などが組付けられるブロック本体５０は、略平板状をした基板部５１と、この基板部５１に設けられたハウジング５９を構成する複数のヒューズ装着部７０とを少なくとも備えるものとして形成されている。複数のヒューズ装着部７０は、ハウジング５９を形成する略矩形箱状の周壁６０と、この周壁６０を略等間隔で複数に区切る隔壁６５とにより形成されている。
【００３２】
また、前記周壁６０を形成する各側壁６１，６２，６３，６４と、前記隔壁６５とにより、ヒューズ装着部７０に、第１ヒューズ１０または第２ヒューズ２０が装着可能な収容部７２が設けられている。また、収容部７２には、第１ヒューズ１０または第２ヒューズ２０が挿入可能な開口部７１が設けられている。収容部７２を備えるヒューズ装着部７０は、例えばコネクタキャビティ等とも呼ばれる。
【００３３】
周壁６０は、ブロック本体５０の長手方向に沿って形成された一対の側壁６１，６２と、一対の側壁６１，６２に対して直交する短い一対の側壁６３，６４とを備えるものとされている。
【００３４】
各側壁６１，６２，６３，６４と、各隔壁６５とによって構成されるヒューズ装着部７０の各開口部７１に、各傾斜ガイド面７１ａ，７１ｂが設けられている。これらの傾斜ガイド面７１ａ，７１ｂは、第１ヒューズ１０または第２ヒューズ２０が、ハウジング５９のヒューズ装着部７０に容易に取付け可能とされるために設けられたものとされている。
【００３５】
また、ヒューズ装着部７０内に第１ヒューズ１０が挿着される際に、ヒューズ装着部７０の隔壁６５の連結部６５Ｃと、ヒューズ装着部７０の内壁６１Ｎ，６２Ｎとによって、隙間がもたされた状態で第１ヒューズ１０の絶縁ハウジング１１がヒューズ装着部７０に案内挿入される。これにより、第１ヒューズ１０は、隙間がもたされた状態でヒューズ装着部７０内に組付けられる。
【００３６】
また、隔壁６５の開口部７１側に傾斜ガイド面６５Ｄが設けられている。傾斜ガイド面６５Ｄは、第１ヒューズ１０または第２ヒューズ２０が、ハウジング５９のヒューズ装着部７０に容易に取付け可能とされるために設けられたものとされている。
【００３７】
図１の如く、隔壁６５に切欠き部６５Ｈが設けられている。この切欠き部６５Ｈは、貫通孔６５Ｈとして形成されている。隔壁６５に貫通孔６５Ｈが設けられることにより、ブロック本体５０に組付けられた各第１ヒューズ１０間に、空間６６が形成されることとなる。
【００３８】
前記貫通孔６５Ｈは、ブロック本体５０に組付けられた第１ヒューズ１０に過電流が流されて、第１ヒューズ１０の可溶部１７（図１，図３）が溶断されたときに発生される熱が、ハウジング５９の隔壁６５に悪影響を及ぼすということを回避させるために設けられたものとされている。
【００３９】
また、ヒューズ装着部７０内に第１ヒューズ１０が挿着される際に、第１ヒューズ１０の進入動作を止めて第１ヒューズ１０をヒューズ装着部７０内に位置決めさせる停止部７５が設けられている。
【００４０】
また、ブロック本体５０の長手方向に沿って形成された一対の側壁６１，６２の内側に、一対の側壁６１，６２に沿って略平行とされる内壁６１Ｎ，６２Ｎが設けられている。また、一方の前記側壁６１から他方の前記側壁６２にかけて、前記内壁６１Ｎ，６２Ｎと略直交する隔壁６５が設けられている。
【００４１】
ブロック本体５０の長手方向に沿って形成された一対の側壁６１，６２と、前記一対の側壁６１，６２に沿って略平行とされる内壁６１Ｎ，６２Ｎと、前記側壁６１，６２と前記内壁６１Ｎ，６２Ｎとを結ぶ隔壁６５の一端部６５Ａおよび他端部６５Ｂとにより、音叉状端子３０が挿着される収容部７８が形成される。図２の如く、開口部７１の反対側の挿入口７８ａから音叉状端子３０が収容部７８内へ挿着される（図３）。
【００４２】
また、ブロック本体５０の長手方向に沿って形成された一対の側壁６１，６２の内側に、第１ヒューズ１０および第２ヒューズ２０の両方に対応した溝８０が設けられている。この溝８０は、真直部８１と、段差部８２とを備えるものとして形成されている。図２，図３の如く、溝８０の段差部８２は、第１ヒューズ１０の頭部１３に対応した幅広部８２Ａと、第１ヒューズ１０の突出部１４に対応した幅狭部８２Ｂとを備えるものとされている。
【００４３】
第１ヒューズ１０の頭部１３の側面１３ｅに対応して、溝８０の段差部８２の幅広部８２Ａに側面８３ｅが設けられ、第１ヒューズ１０の頭部１３の端面１３ｆに対応して、溝８０の段差部８２の幅広部８２Ａに端面８３ｆが設けられている。また、第１ヒューズ１０の突出部１４の側面１４ｇに対応して、溝８０の段差部８２の幅狭部８２Ｂに側面８３ｇが設けられ、第１ヒューズ１０の突出部１４の端面１４ｈに対応して、溝８０の段差部８２の幅狭部８２Ｂに端面８３ｈが設けられている。
【００４４】
溝８０の段差部８２の幅広部８２Ａは、ハウジング５９のヒューズ装着部７０の開口部７１側に設けられている。また、溝８０の段差部８２の幅狭部８２Ｂは、ハウジング５９のヒューズ装着部７０の内部側とされる収容部７２側に設けられている。また、段差溝８０の幅狭部８２Ｂよりもさらに幅が狭められた真直部８１が、段差部８２の幅狭部８２Ｂから音叉状端子３０用の挿入口７８ａまで延設されている。溝８０の真直部８１は、ヒューズ１０，２０の端子１５，２５に対応して設けられたものとされている。
【００４５】
ブロック本体５０は、成形性に優れる熱可塑性の合成樹脂材が用いられ、且つ、大量生産性に優れる射出成形法に基づいて形成されている。また、ブロック本体は、ヒューズブロック、ヒューズプレート等と呼ばれている。
【００４６】
図１〜図３の如く、本発明に係るヒューズキャビティ構造の一実施形態のものは、背の低いブレード状ヒューズ１０と、この背の低いブレード状ヒューズ１０が組付けられるハウジング５９を有するブロック本体５０とを備えるものとして構成されている。ブロック本体５０を構成するハウジング５９の各ヒューズ装着部７０に、各背の低いヒューズ１０が組付けられる。また、ブロック本体５０を構成するハウジング５９の各ヒューズ装着部７０は、背の高い各他のヒューズ２０も組付け可能なものとされている。
【００４７】
背の低いヒューズ１０は、頭部１３と、一対の治具係合部１４ａとを備えるものとされている。背の低いヒューズ１０の頭部１３と、治具係合部１４ａとに対応して、段差部８２を備える溝８０が、ハウジング５９内の両側壁６１，６２の内側に設けられている。溝８０の段差部８２に、背の低いヒューズ１０の頭部１３の両端部１３ｃと、治具係合部１４ａの両端部１４ｃとが掛合される（図３）。
【００４８】
背の低いヒューズ１０がハウジング５９のヒューズ装着部７０に取付けられるときに、背の低いヒューズ１０の絶縁ハウジング１１の一端面１１ｂ（図３）が、ヒューズ装着部７０の停止部７５の停止面７５ｂに当接されることで、ヒューズ装着部７０に対するヒューズ１０の挿入が停止される。
【００４９】
背の低いヒューズ１０の頭部１３と、治具係合部１４ａとに対応して、段差部８２を備える溝８０が、ハウジング５９の両側壁６１，６２の内側に設けられているから、背の低いヒューズ１０は、安定してハウジング５９のヒューズ装着部７０に組付けられる。
【００５０】
また、背の低いヒューズ１０がハウジング５９のヒューズ装着部７０に組付けられた場合、背の低いヒューズ１０の頭部１３の両端部１３ｃと、治具係合部１４ａの両端部１４ｃとが、ハウジング５９の溝８０の段差部８２内に完全に収容される（図３）。ハウジング５９に組付けられた背の低いヒューズ１０の頭部１３は、ハウジング５９内に完全に収容されている。
【００５１】
ハウジング５９のヒューズ装着部７０に、背の高い他のヒューズ２０が組付けられた場合においては、他のヒューズ２０の頭部２３は、ハウジング５９のヒューズ装着部７０の開口部７１から突出される。これに対し、ハウジング５９に収容された背の低いヒューズ１０においては、ヒューズ１０の頭部１３は、ハウジング５９のヒューズ装着部７０の開口部７１から突出されることなく、完全にハウジング５９の周壁６０内に収められている。背の低いヒューズ１０は、ヒューズ装着部７０の収容部７２内に完全に挿入されている。
【００５２】
このように、ハウジング５９のヒューズ装着部７０に、背の低いヒューズ１０が組付けられた場合、小型化が図られたヒューズキャビティ構造のものが構成される。従って、小型化が図られたヒューズキャビティ構造のものが提供されることとなる。
【００５３】
図２および図３の如く、背の低いヒューズ１０の頭部１３の幅１３Ａに対応して、溝８０の段差部８２に幅広部８２Ａが設けられている。また、背の低いヒューズ１０の頭部１３よりも幅狭な治具係合部１４ａの幅１４Ｂに対応して、溝８０の段差部８２に幅狭部８２Ｂが設けられている。この明細書における「幅」の方向は、ハウジング５９のヒューズ装着部７０に、複数のヒューズ１０または２０（図１〜図３）が装着されたときのヒューズ並び方向を意味する。
【００５４】
このような段差形状の溝８０が、ハウジング５９の両側壁６１，６２の内側に設けられていれば、背の低いヒューズ１０は、ハウジング５９内に設けられた溝８０に確実に装着される。また、背の低いヒューズ１０の頭部１３の幅１３Ａよりも、治具係合部１４ａの幅１４Ｂの方が狭いものとされているから、例えば溝８０に装着された背の低いヒューズ１０が、ヒューズプラーなどの治具（図示せず）によって、ハウジング５９から引き抜かれるときに、不図示のヒューズプラーなどの治具の先端部は、背の低いヒューズ１０を構成する頭部１３、治具係合部１４ａに掛かり易いものとなる。
【００５５】
従って、背の低いヒューズ１０の頭部１３が、ハウジング５９のヒューズ装着部７０の開口部７１から突出されることなく、完全にハウジング５９の周壁６０内に収められた状態とされていても、ハウジング５９の収容部７２内に装着された背の低いヒューズ１０は、不図示のヒューズプラーなどの治具が用いられることにより、ハウジング５９から容易に抜取可能なものとなる。
【００５６】
背の低いヒューズ１０に代えて、背の低いヒューズ１０と異なる形態の背の高い他のヒューズ２０が、ハウジング５９のヒューズ装着部７０に備えられることも可能とされる。背の高い他のヒューズ２０も、ハウジング５９のヒューズ装着部７０に確実に組付けられるために、図２，図３の如く、ハウジング５９に対し、背の高い他のヒューズ２０が正規の姿勢状態で組付け可能とされる位置合せ部８３ｃ，８３ｄが、ハウジング５９の溝８０の段差部８２に設けられている。
【００５７】
このような位置合せ部８３ｃ，８３ｄが、ハウジング５９の溝８０の段差部８２に設けられていれば、背の低いヒューズ１０と、背の高い他のヒューズ２０との少なくとも二種類以上のヒューズ１０，２０が、一つのハウジング５９のヒューズ装着部７０に装着可能となる。例えば、昨今、各種容量のヒューズ１０，２０をハウジング５９に装着可能とさせることや、部品共用化による管理費の低減化や、それに伴う価格の低減化などが要望されてきているが、異なる形態の複数のヒューズ１０，２０が、一つのハウジング５９に装着可能なものとされていれば、部品の共用化や、これに伴った価格の低減化が図られる。
【００５８】
ハウジング５９の溝８０の段差部８２に設けられた位置合せ部８３ｃ，８３ｄは、テーパ面８３ｃ，８３ｄとして形成されている（図３）。位置合せ部８３ｃ，８３ｄを構成する第１テーパ面８３ｃは、段差溝８０の幅広部８２Ａの端面８３ｆと、幅狭部８２Ｂの側面８３ｇとを結ぶ傾斜面とされている。また、位置合せ部８３ｃ，８３ｄを構成する第２テーパ面８３ｄは、段差溝８０の幅狭部８２Ｂの端面８３ｈと、溝８０の真直部８１とを結ぶ傾斜面とされている。前記各テーパ面８３ｃ，８３ｄに対応して、他のヒューズ２０の側部２４に傾斜面２４ｃが設けられている（図１〜図３）。
【００５９】
また、他のヒューズ２０がハウジング５９のヒューズ装着部７０に取付けられるときに、他のヒューズ２０の側部２４の傾斜面２４ｃ（図１，図２）が、ヒューズ装着部７０の段差部８２のテーパ面８３ｃ，８３ｄ（図３）に当接されることで、ヒューズ装着部７０に対する他のヒューズ２０の挿入が停止される。
【００６０】
ハウジング５９に他のヒューズ２０が組付けられるときに、図３の如く、ハウジング５９の溝８０のテーパ面８３ｃ，８３ｄに、他のヒューズ２０の側部２４に設けられた傾斜面２４ｃが合せられるから、他のヒューズ２０は、確実にハウジング５９に固定される。他のヒューズ２０の側部２４に設けられた傾斜面２４ｃが、ハウジング５９の溝８０のテーパ面８３ｃ，８３ｄに当接されて、他のヒューズ２０は、ハウジング５９に位置決め固定される。
【００６１】
他のヒューズ２０と異なる形態の背の低いヒューズ１０の頭部１３や、治具係合部１４ａには、傾斜面が設けられていないから、背の低いヒューズ１０は、ハウジング５９の溝８０のテーパ面８３ｃ，８３ｄに影響されることなく、確実にハウジング５９の溝８０の段差部８２に固定可能なものとされている。
【００６２】
背の低いヒューズ１０または背の高い他のヒューズ２０が、甚だしく傾けられてハウジング５９のヒューズ装着部７０に組付けられる場合もある。例えば、ヒューズ装着部７０の開口部７１の傾斜ガイド面７１ａと、溝８０の段差部８２を形成する幅広部８２Ａとの角部とされるＴａ部に、ヒューズ１０，２０の端子１５，２５が接触されながら、ヒューズ１０，２０がハウジング５９のヒューズ装着部７０に組付けられることもある。
【００６３】
背の低いヒューズ１０がハウジング５９のヒューズ装着部７０に組付けられるときの傾斜度合にもよるが、背の低いヒューズ１０が傾けられてハウジング５９のヒューズ装着部７０に組付けられるときに、小型ヒューズ１０の絶縁ハウジング１１が、例えば隔壁６５の角部とされるＴｂ部、Ｔｃ部に接触されて、ヒューズ装着部７０の収容部７２に挿入されることもある。
【００６４】
また、背の高い他のヒューズ２０がハウジング５９のヒューズ装着部７０に組付けられるときの傾斜度合にもよるが、背の高い他のヒューズ２０が傾けられてハウジング５９のヒューズ装着部７０に組付けられるときに、ミニヒューズ２０の端子２５の先端部２６が、例えば溝８０を形成する段差部８２の位置合せ部８３ｄのＴｊ部、Ｔｋ部に接触されて、溝８０の真直部８１に挿入されることもある。
【００６５】
このように、ハウジング５９のヒューズ装着部７０に、背の低いヒューズ１０または背の高い他のヒューズ２０が組付けられるときに、様々な挿入角度に傾斜されて、ヒューズ１０，２０は、ハウジング５９のヒューズ装着部７０に組付けられることが予想されるが、ヒューズ１０，２０は、ハウジング５９の側壁６１，６２の溝８０またはハウジング５９の隔壁６５によって案内されながら、ハウジング５９のヒューズ装着部７０に組付けられるから、ヒューズ１０，２０の端子１５，２５が通電可能に接続される音叉状端子３０の腕部３１がこじられて、ヒューズ１０，２０の端子１５，２５と、音叉状端子３０との接続状態に不具合が生じるということは回避される。
【００６６】
上記ヒューズキャビティ構造が電気接続箱１（図１〜図３）に適用されることで、背の低いヒューズ１０が安定して組付けられる電気接続箱１の提供が可能となる。また、上記ヒューズキャビティ構造が電気接続箱１に適用されることにより、異なる形態の二種類以上のヒューズ１０，２０が組付け可能とされる電気接続箱１の提供が可能となる。
【００６７】
電気接続箱１には、例えば電子ユニット（図示せず）などの各種電気・電子部品が収容される。このような電気接続箱１は、例えば自動車などの各電気配線に接続されるジャンクションボックス（Ｊ／Ｂと略称する）として用いられる。また、電気接続箱は、例えばリレーボックス（Ｒ／Ｂと略称する）等として用いられることも可能とされる。
【００６８】
【発明の効果】
以上の如く、請求項１記載の発明によれば、ヒューズの頭部と、治具係合部とに対応した溝が、ハウジング内に設けられているから、ヒューズは、安定してハウジングに組付けられる。また、背の低いヒューズが用いられた場合、ヒューズの頭部が、ハウジングの溝に収容され、ハウジング内にヒューズの頭部が収容される。従って、小型化が図られたヒューズキャビティ構造のものを提供することができる。
【００６９】
請求項２記載の発明によれば、ヒューズをハウジング内に設けられた溝に確実に装着させることができる。また、ヒューズの頭部の幅よりも、治具係合部の幅の方が狭いものとされているから、例えば溝に装着されたヒューズが、ヒューズプラーなどの治具によって、ハウジングから引き抜かれるときに、ヒューズプラーなどの治具の先端部は、ヒューズを構成する頭部、治具係合部に掛かり易いものとなる。従って、ハウジングに装着されたヒューズを、ハウジングから容易に抜き取ることができる。
【００７０】
請求項３記載の発明によれば、ヒューズと、他のヒューズとの少なくとも二種類以上のヒューズが前記ハウジングに装着可能となる。例えば、昨今、各種のヒューズをハウジングに装着可能とさせることや、部品共用化による管理費の低減化や、それに伴う価格の低減化などが要望されてきているが、異なる複数のヒューズがハウジングに装着可能なものとされていれば、部品の共用化や、これに伴った価格の低減化を図ることができる。
【００７１】
請求項４記載の発明によれば、ハウジングに他のヒューズが組付けられるときに、ハウジングの溝のテーパ面に、他のヒューズの側部に設けられた傾斜面が合せられるから、他のヒューズは、確実にハウジングに固定される。また、他のヒューズと異なるヒューズは、ハウジングの溝のテーパ面に影響されることなく、確実にハウジングの溝に固定可能なものとされる。
【００７２】
請求項５記載の発明によれば、ヒューズが安定して組付けられる電気接続箱を提供することができる。また、請求項３又は４記載のヒューズキャビティ構造が電気接続箱に適用されることにより、異なる二種類以上のヒューズが組付け可能とされる電気接続箱を提供することができる。
【図面の簡単な説明】
【図１】本発明に係るヒューズキャビティ構造および電気接続箱の一実施の形態を示す分解斜視図である。
【図２】同じくヒューズキャビティ構造および電気接続箱を示す縦断面図である。
【図３】同じくヒューズキャビティ構造および電気接続箱を示す説明図である。
【図４】従来のヒューズハウジングの一形態を示す平面図である。
【符号の説明】
１              電気接続箱
１０            小型ヒューズ（ヒューズ）
１３            頭部
１３Ａ，１４Ｂ  幅
１４ａ          治具係合部
２０            ミニヒューズ（ヒューズ）
２４            側部
２４ｃ          傾斜面
５９            ハウジング
８０            溝
８２Ａ          幅広部
８２Ｂ          幅狭部
８３ｃ，８３ｄ  位置合せ部（テーパ面）
【図１】
2004311289.tif 000003
【図２】
2004311289.tif 000004
【図３】
2004311289.tif 000005
【図４】
2004311289.tif 000006